(57)【要約】【課題】  モジュールの組み合わせによらず良好な伝送特性で信号を伝送することができる信号処理装置、送受信器、及び信号処理方法を提供する。【解決手段】  信号処理装置は、信号を送受信する送受信器が接続可能な電気コネクタと、前記電気コネクタを介し前記送受信器との間で入出力される前記信号の劣化を設定値に従い補償する補償部と、前記電気コネクタにおける前記信号の伝送特性を示す第１特性データを記憶する記憶部と、前記送受信器内の前記信号の伝送特性を示す第２特性データを前記送受信器から取得し、前記第１特性データ及び前記第２特性データに基づき、前記補償部に対して前記設定値を設定する設定処理部とを有する。【選択図】図１
2019009648.tif 000002
【特許請求の範囲】
【請求項１】
信号を送受信する送受信器が接続可能な電気コネクタと、
前記電気コネクタを介し前記送受信器との間で入出力される前記信号の劣化を設定値に従い補償する補償部と、
前記電気コネクタにおける前記信号の伝送特性を示す第１特性データを記憶する記憶部と、
前記送受信器内の前記信号の伝送特性を示す第２特性データを前記送受信器から取得し、前記第１特性データ及び前記第２特性データに基づき、前記補償部に対して前記設定値を設定する設定処理部とを有することを特徴とする信号処理装置。
【請求項２】
前記設定処理部は、前記送受信器から前記電気コネクタを介し前記第２特性データを取得することを特徴とする請求項１に記載の信号処理装置。
【請求項３】
前記設定処理部は、前記電気コネクタに対する前記送受信器の接続に応じ前記設定値を設定することを特徴とする請求項１または２に記載の信号処理装置。
【請求項４】
前記電気コネクタに入力される前記信号を、デジタル信号からアナログ信号に変換する第１変換回路を有し、
前記補償部は、前記第１変換回路に入力される前記信号の劣化を補償することを特徴とする請求項１乃至３の何れかに記載の信号処理装置。
【請求項５】
前記電気コネクタから出力された前記信号を、アナログ信号からデジタル信号に変換する第２変換回路を有し、
前記補償部は、前記第２変換回路から出力された前記信号の劣化を補償することを特徴とする請求項１乃至４の何れかに記載の信号処理装置。
【請求項６】
信号処理装置に接続可能な送受信器において、
前記信号処理装置に前記送受信器を接続するための電気コネクタと、
前記電気コネクタを介し前記信号処理装置との間で信号が入出力され、前記信号を伝送路との間で送受信する送受信部と、
前記電気コネクタにおける前記信号の伝送特性を示す特性データを記憶する記憶部と、
前記特性データを前記信号処理装置に出力する出力部とを有することを特徴とする送受信器。
【請求項７】
信号を送受信する送受信器が接続可能な信号処理装置の第１電気コネクタに対する前記送受信器の第２電気コネクタの接続を検出し、
前記第１電気コネクタにおける前記信号の伝送特性を示す第１特性データを前記信号処理装置から取得し、
前記第２電気コネクタにおける前記信号の伝送特性を示す第２特性データを前記送受信器から取得し、
前記第１電気コネクタ及び前記第２電気コネクタを介し前記信号処理装置と前記送受信器の間で入出力される前記信号の劣化の補償に関する設定値を、前記第１特性データ及び前記第２特性データに基づき設定することを特徴とする信号処理方法。
【発明の詳細な説明】
【技術分野】
【０００１】
本件は、信号処理装置、送受信器、及び信号処理方法に関する。
【背景技術】
【０００２】
大容量のデータ伝送の需要の増加に応じ、例えば、１つの波長光で１００（Ｇｂｐｓ）以上の伝送を可能とするデジタルコヒーレント光伝送方式の伝送装置が用いられている。また、デジタルコヒーレント光伝送方式に対応する光送受信モジュールとして、例えばＣＦＰ（100 Gigabit Form-factor Pluggable）２−ＡＣＯ（Analog Coherent Optics）がある。
【０００３】
この種の光送受信モジュールは、伝送装置本体に備えられたホストモジュールに対し、電気コネクタを介して着脱自在に接続される。ホストモジュールには、電気コネクタを介して光送受信モジュールとの間で入出力される信号の劣化を補償するため、例えばイコライザ（例えば特許文献１及び２を参照）などの補償回路が設けられている。
【先行技術文献】
【特許文献】
【０００４】
【特許文献１】特開平１０−３２７２０９号公報
【特許文献２】特開２００５−３４７９１６号公報
【発明の概要】
【発明が解決しようとする課題】
【０００５】
イコライザを構成するＦＩＲ（Finite Impulse Response）フィルタなどの電気フィルタのフィルタ係数は、例えばホストモジュールの製造時、検査用の光送受信モジュールにホストモジュールを接続した状態で調整される。
【０００６】
しかし、ホストモジュールと光送受信モジュールの間で入出力される信号の伝送特性は、ホストモジュール及び光送受信モジュールの各モジュール種別の組み合わせだけでなく、製造時のばらつきに起因するホストモジュール及び光送受信モジュールの個体の特性の組み合わせによっても異なる。例えば、信号のスキューは、電気コネクタを通る信号の配線長に応じて変化する。
【０００７】
このため、互いに接続されるホストモジュール及び光送受信モジュールの組み合わせによっては、調整済みの電気フィルタが適切ではないために信号の伝送特性が所定の基準を満たさないおそれがある。
【０００８】
そこで本件は、モジュールの組み合わせによらず良好な伝送特性で信号を伝送することができる信号処理装置、送受信器、及び信号処理方法を提供することを目的とする。
【課題を解決するための手段】
【０００９】
１つの態様では、信号処理装置は、信号を送受信する送受信器が接続可能な電気コネクタと、前記電気コネクタを介し前記送受信器との間で入出力される前記信号の劣化を設定値に従い補償する補償部と、前記電気コネクタにおける前記信号の伝送特性を示す第１特性データを記憶する記憶部と、前記送受信器内の前記信号の伝送特性を示す第２特性データを前記送受信器から取得し、前記第１特性データ及び前記第２特性データに基づき、前記補償部に対して前記設定値を設定する設定処理部とを有する。
【００１０】
１つの態様では、送受信器は、信号処理装置に接続可能な送受信器において、前記信号処理装置に前記送受信器を接続するための電気コネクタと、前記電気コネクタを介し前記信号処理装置との間で信号が入出力され、前記信号を伝送路との間で送受信する送受信部と、前記電気コネクタにおける前記信号の伝送特性を示す特性データを記憶する記憶部と、前記特性データを前記信号処理装置に出力する出力部とを有する。
【００１１】
１つの態様では、信号処理方法は、信号を送受信する送受信器が接続可能な信号処理装置の第１電気コネクタに対する前記送受信器の第２電気コネクタの接続を検出し、前記第１電気コネクタにおける前記信号の伝送特性を示す第１特性データを前記信号処理装置から取得し、前記第２電気コネクタにおける前記信号の伝送特性を示す第２特性データを前記送受信器から取得し、前記第１電気コネクタ及び前記第２電気コネクタを介し前記信号処理装置と前記送受信器の間で入出力される前記信号の劣化の補償に関する設定値を、前記第１特性データ及び第２特性データに基づき設定する方法である。
【発明の効果】
【００１２】
１つの側面として、モジュールの組み合わせによらず良好な伝送特性で信号を伝送することができる。
【図面の簡単な説明】
【００１３】
【図１】ホストモジュール及び光送受信モジュールの一例を示す構成図である。
【図２】特性データの一例を示す図である。
【図３】イコライザの一例を示す構成図である。
【図４】ホストモジュールと光送受信モジュールの組み合わせの例を示す図である。
【図５】信号処理方法の一例を示すフローチャートである。
【発明を実施するための形態】
【００１４】
図１は、ホストモジュール１及び光送受信モジュール２の一例を示す構成図である。ホストモジュールは、信号処理装置の一例であり、例えば伝送装置に実装される回路基板などから構成される。光送受信モジュール２は、ホストモジュール１に着脱自在に接続される。光送受信モジュール２は、ホストモジュール１に接続可能な送受信器の一例である。なお、光送受信モジュール２としては、一例としてＣＦＰ２−ＡＣＯが挙げられるが、これに限定されない。
【００１５】
ホストモジュール１には電気コネクタ３０が設けられ、光送受信モジュール２には電気コネクタ３１が設けられている。ホストモジュール１及び光送受信モジュール２は、電気コネクタ３０，３１を介して互いに接続される。なお、電気コネクタ３０は、第１電気コネクタの一例であり、光送受信モジュール２と接続可能である。また、電気コネクタ３１は、第２電気コネクタの一例であり、ホストモジュール１に光送受信モジュール２を接続する。
【００１６】
ホストモジュール１及び光送受信モジュール２は、一例としてデジタルコヒーレント光伝送方式に従い光信号の伝送処理を行う。ホストモジュール１及び光送受信モジュール２は、電気コネクタ３０，３１を介してデータ信号Ｘｉ，Ｘｑ，Ｙｉ，Ｙｑが入出力される。データ信号Ｘｉ，Ｘｑは、光信号のＸ偏波成分に該当する電気信号であり、データ信号Ｙｉ，Ｙｑは、光信号のＹ偏波成分に該当する電気信号である。
【００１７】
光送受信モジュール２は、データ信号Ｘｉ，Ｘｑ，Ｙｉ，Ｙｑを電気信号から光信号に変換し、光信号をデータ信号に変換する。光送受信モジュール２は、光信号を、光ファイバ９などの伝送路９０，９１との間で送受信する。以下にホストモジュール１及び光送受信モジュール２の構成を述べる。なお、以下の説明において、ホストモジュール１から光送受信モジュール２に向かうデータ信号Ｘｉ，Ｘｑ，Ｙｉ，Ｙｑの伝送方向を「送信方向」と表記し、光送受信モジュール２からホストモジュール１に向かうデータ信号Ｘｉ，Ｘｑ，Ｙｉ，Ｙｑの伝送方向を「受信方向」と表記する。
【００１８】
光送受信モジュール２は、送受信部２０と、通信インターフェース部（通信ＩＦ）２１と、メモリ２２と、電気コネクタ３１とを有する。送受信部２０は、伝送路９０に光信号を送信する送信器２００と、伝送路９１から光信号を受信する受信器２０１とを有する。なお、光信号は、一例として、データ信号Ｘｉ，Ｘｑ，Ｙｉ，Ｙｑの光変調により得られたＸ偏波成分及びＹ偏波成分の合波光を含む。
【００１９】
送信器２００には、ホストモジュール１から電気コネクタ３０，３１を介しデータ信号Ｘｉ，Ｘｑ，Ｙｉ，Ｙｑが入力される。送信器２００は、例えばレーザダイオード、及び変調器などから構成され、送信方向のデータ信号Ｘｉ，Ｘｑ，Ｙｉ，Ｙｑを電気信号から光信号に変換する。
【００２０】
受信器２０１は、フォトダイオード及び光ビームスプリッタなどから構成され、伝送路９１から入力された受信方向のデータ信号Ｘｉ，Ｘｑ，Ｙｉ，Ｙｑを光信号から電気信号に変換する。受信器２０１は、受信方向のデータ信号Ｘｉ，Ｘｑ，Ｙｉ，Ｙｑを、電気コネクタ３０，３１を介しホストモジュール１に出力する。
【００２１】
このように、送受信部２０は、電気コネクタ３０，３１を介しホストモジュール１との間でデータ信号Ｘｉ，Ｘｑ，Ｙｉ，Ｙｑが入出力され、光信号に変換されたデータ信号Ｘｉ，Ｘｑ，Ｙｉ，Ｙｑを伝送路９０，９１との間で送受信する。なお、送受信部２０は送受信回路の一例である。
【００２２】
通信ＩＦ２１は、ホストモジュール１と光送受信モジュール２の通信を処理する。より具体的には、通信ＩＦ２１は、電気コネクタ３０，３１同士が接続されることにより、ホストモジュール１から電気コネクタ３０，３１を介して光送受信モジュール２に電力供給が開始されたとき、光送受信モジュール２の起動をホストモジュール１に通知する。このとき、通信ＩＦ２１は起動通知信号をホストモジュール１に出力する。なお、通信ＩＦ２１は、例えばＦＰＧＡなどの論理回路により構成される。
【００２３】
また、メモリ２２は、送受信器の記憶部の一例であり、電気コネクタ３１におけるデータ信号Ｘｉ，Ｘｑ，Ｙｉ，Ｙｑの伝送特性を示す特性データ２２０を記憶する。より具体的には、特性データ２２０は、光送受信モジュール２を特定のホストモジュール１に接続したときの伝送特性ではなく、例えば所定の試験装置に光送受信モジュール２を接続したときの伝送特性、つまり光送受信モジュール２の単独のデータ信号Ｘｉ，Ｘｑ，Ｙｉ，Ｙｑの伝送特性を示す。なお、特性データ２２０は第２特性データの一例であり、その内容は後述する。
【００２４】
通信ＩＦ２１は、起動の通知後、ホストモジュール１からのアクセスに応じ、メモリ２２から特性データ２２０を読み出して、電気コネクタ３０，３１を介しホストモジュール１に出力する。すなわち、通信ＩＦ２１は、出力部及び出力回路の一例であり、特性データ２２０をホストモジュール１に出力する。
【００２５】
ホストモジュール１は、補償部１５と、電源１９と、電気コネクタ３０と、デジタル−アナログ変換部（ＤＡＣ）１６０と、アナログ−デジタル変換部１６１と、フレーム処理部１７０，１７１と、誤り訂正部１８１と、ＦＥＣ（Forward Error Correction）生成部１８０とを有する。補償部１５、ＤＡＣ１６０、ＡＤＣ１６１、フレーム処理部１７０，１７１、誤り訂正部１８１、及びＦＥＣ生成部１８０は、例えばＤＳＰ（Digital Signal Processor）により構成されるが、ＦＰＧＡ（Field Programmable Gate Array）などの論理回路により構成されてもよい。
【００２６】
電源１９は、電気コネクタ３０に光送受信モジュール２が接続された場合、電気コネクタ３０，３１を介し光送受信モジュール２に電力を供給する。
【００２７】
次に、送信方向の機能について説明する。ＦＥＣ生成部１８０は、例えば伝送装置の他のホストモジュール１から入力されたフレーム信号から誤り訂正符号としてＦＥＣを生成する。なお、フレーム信号の形式としては、例えば、ＩＴＵ−Ｔ（International Telecommunication Union Telecommunication Standardization Sector）勧告Ｇ．７０９に規定されたＯＴＮ（Optical Transport Network）フレームが挙げられるが、これに限定されない。ＦＥＣ生成部１８０は、フレーム信号にＦＥＣを付与し、フレーム信号をフレーム処理部１７０に出力する。
【００２８】
フレーム処理部１７０は、フレーム信号を例えば所定のフレームに収容し、データ信号Ｘｉ，Ｘｑ，Ｙｉ，Ｙｑとして補償部１５に出力する。
【００２９】
補償部１５は、送信側イコライザ（ＴｘＥＱＬ）１５０及び受信側イコライザ（ＲｘＥＱＬ）１５１を有する。ＴｘＥＱＬ１５０は、フレーム処理部１７０から入力されたデータ信号Ｘｉ，Ｘｑ，Ｙｉ，Ｙｑの劣化を設定値に従い補償する。補償後のデータ信号Ｘｉ，Ｘｑ，Ｙｉ，ＹｑはＤＡＣ１６０に出力される。
【００３０】
ＤＡＣ１６０は、データ信号Ｘｉ，Ｘｑ，Ｙｉ，Ｙｑをデジタル信号からアナログ信号に変換して、電気コネクタ３０，３１を介して光送受信モジュール２に出力する。ＤＡＣ１６０は、第１変換回路の一例であり、電気コネクタ３０に入力されるデータ信号Ｘｉ，Ｘｑ，Ｙｉ，Ｙｑを、デジタル信号からアナログ信号に変換する。送信方向のデータ信号Ｘｉ，Ｘｑ，Ｙｉ，Ｙｑは、光送受信モジュール２内の送信器２００に入力される。
【００３１】
次に、受信方向の機能について説明する。光送受信モジュール２内の受信器２０１からＡＤＣ１６１には、電気コネクタ３０，３１を介して、アナログ信号であるデータ信号Ｘｉ，Ｘｑ，Ｙｉ，Ｙｑが入力される。ＡＤＣ１６１は、データ信号Ｘｉ，Ｘｑ，Ｙｉ，Ｙｑをアナログ信号からデジタル信号に変換して、ＲｘＥＱＬ１５１に出力する。ＡＤＣ１６１は、第２変換回路の一例であり、電気コネクタ３０から出力されたデータ信号Ｘｉ，Ｘｑ，Ｙｉ，Ｙｑを、アナログ信号からデジタル信号に変換する。
【００３２】
ＲｘＥＱＬ１５１は、ＡＤＣ１６１から入力されたデータ信号Ｘｉ，Ｘｑ，Ｙｉ，Ｙｑの劣化を設定値に従い補償する。補償後のデータ信号Ｘｉ，Ｘｑ，Ｙｉ，Ｙｑはフレーム処理部１７１に出力される。フレーム処理部１７１は、データ信号Ｘｉ，Ｘｑ，Ｙｉ，Ｙｑから所定のフレーム信号（例えばＯＴＮフレーム）を生成して誤り訂正部１８１に出力する。
【００３３】
誤り訂正部１８１は、フレーム信号に付与されたＦＥＣに基づきフレーム信号のエラーを訂正する。エラー訂正後のフレーム信号は、例えば伝送装置の他のホストモジュール１に出力される。
【００３４】
また、ホストモジュール１は、ＣＰＵ（Central Processing Unit）１０、ＲＯＭ（Read Only Memory）１１、ＲＡＭ（Random Access Memory）１２、メモリ１３、及びハードウェアインターフェース（ＨＷ−ＩＦ）１４を有する。ＣＰＵ１０は、互いに信号の入出力ができるように、ＲＯＭ１１、ＲＡＭ１２、メモリ１３、ＨＷ−ＩＦ１４と、バスＢｓを介して接続されている。
【００３５】
ＲＯＭ１１は、ＣＰＵ１０を駆動するプログラムが格納されている。プログラムには、例えばＯＳ（Operating System）と、信号処理方法を実行するソフトウェアとが含まれる。ＲＡＭ１２は、ＣＰＵ１０のワーキングメモリとして機能する。
【００３６】
また、メモリ１３は、信号処理装置の記憶部の一例であり、電気コネクタ３０におけるデータ信号Ｘｉ，Ｘｑ，Ｙｉ，Ｙｑの伝送特性を示す特性データ１３０を記憶する。より具体的には、特性データ１３０は、ホストモジュール１を特定の光送受信モジュール２に接続したときの伝送特性ではなく、例えば所定の試験装置にホストモジュール１を接続したときの伝送特性、つまりホストモジュール１の単独のデータ信号Ｘｉ，Ｘｑ，Ｙｉ，Ｙｑの伝送特性を示す。なお、特性データ１３０は第１特性データの一例であり、その内容は後述する。
【００３７】
ＨＷ−ＩＦ１４は、ＣＰＵ１０と光送受信モジュール２及び補償部１５の通信を処理する。ＨＷ−ＩＦ１４は、例えばＦＰＧＡなどの論理回路から構成され、ＣＰＵ１０の制御に従い光送受信モジュール２または補償部１５をＣＰＵ１０のバスＢｓに接続する。
【００３８】
ＣＰＵ１０は、ＲＯＭ１１からプログラムを読み込むと、機能として、接続検出部１００と設定処理部１０１が形成される。なお、接続検出部１００及び設定処理部１０１は、ソフトウェアの機能ではなく、ＦＰＧＡなどの論理回路として形成さてもよい。
【００３９】
接続検出部１００は、電気コネクタ３０，３１同士が接続されたとき、光送受信モジュール２の通信ＩＦ２１から起動通知信号を受信することにより、電気コネクタ３０に対する光送受信モジュール２の接続を検出する。接続検出部１００は、光送受信モジュール２の接続の検出を設定処理部１０１に通知する。
【００４０】
設定処理部１０１は、接続検出部１００からの接続の検出の通知に応じ、光送受信モジュール２のメモリ２２から電気コネクタ３０，３１を介し特性データ２２０を取得する。より具体的には、設定処理部１０１は、ＨＷ−ＩＦ１４及び通信ＩＦ２１を介して光送受信モジュール２のメモリ２２にアクセスすることによりメモリ２２から特性データ２２０を読み出す。
【００４１】
このように、設定処理部１０１は、データ信号Ｘｉ，Ｘｑ，Ｙｉ，Ｙｑが入出力される電気コネクタ３０を介して特性データ２２０を取得する。このため、設定処理部１０１が、電気コネクタ３０とは別の通信経路を介して特性データ２２０を取得する場合よりホストモジュール１と光送受信モジュール２の通信経路が単純化される。
【００４２】
また、設定処理部１０１は、特性データ２２０の取得前または取得後、ホストモジュール１のメモリ１３から特性データ１３０を読み出す。すなわち、設定処理部１０１は、光送受信モジュール２から特性データ２２０を取得し、ホストモジュール１から特性データ１３０を取得する。
【００４３】
設定処理部１０１は、各特性データ１３０，２２０に基づき、補償部１５に対して、データ信号Ｘｉ，Ｘｑ，Ｙｉ，Ｙｑの劣化の補償に関する設定値を設定する。以下に特性データ１３０，２２０の例を挙げる。
【００４４】
図２は特性データ１３０，２２０の一例を示す図である。各特性データ１３０，２２０は、ホストモジュール１及び光送受信モジュール２の間の各データ信号Ｘｉ，Ｘｑ，Ｙｉ，Ｙｑの劣化補償のためのキャリブレーションデータとして用いられる。特性データ１３０，２２０には、例えば、電気コネクタ３０，３１に伝送されるデータ信号Ｘｉ，Ｘｑ，Ｙｉ，Ｙｑの周波数特性及びスキュー特性などが含まれる。
【００４５】
より具体的には、ホストモジュール１の特性データ１３０には、電気コネクタ３０に伝送される各データ信号Ｘｉ，Ｘｑ，Ｙｉ，Ｙｑの振幅、位相、及びスキューなどの特性値または補償値が含まれている。また、光送受信モジュール２の特性データ２２０には、電気コネクタ３１に伝送される各データ信号Ｘｉ，Ｘｑ，Ｙｉ，Ｙｑの振幅、位相、及びスキューなどの特性値または補償値が含まれている。
【００４６】
例えば、Ｘｉ振幅値はデータ信号Ｘｉの振幅を示し、Ｙｑ振幅値はデータ信号Ｙｑの振幅を示す。また、Ｘｑ位相はデータ信号Ｘｑの位相を示し、Ｙｉ位相はデータ信号Ｙｉの位相を示す。さらに、Ｔｘ側Ｘｉ−Ｙｉスキューは送信側の各データ信号Ｘｉ，Ｙｉの間のスキューを示し、Ｒｘ側Ｘｉ−Ｘｑスキューは受信側の各データ信号Ｘｉ，Ｘｑの間のスキューを示す。
【００４７】
上述したように、各特性データ１３０，２２０は、ホストモジュール１と光送受信モジュール２を接続したときの伝送特性ではなく、ホストモジュール１と光送受信モジュール２を別々に所定の試験装置と接続したときの個別の伝送特性を示す。各特性データ１３０，２２０は、例えばホストモジュール１と光送受信モジュール２の製造時に各々のメモリ１３，２２に書き込まれる。
【００４８】
再び図１を参照すと、設定処理部１０１は、ＨＷ−ＩＦ１４を介し、各特性データ１３０，２２０（つまり特性値または補償値）からＴｘＥＱＬ１５０及びＲｘＥＱＬ１５１の設定値を設定する。より具体的には、設定処理部１０１は各特性データ１３０，２２０から設定値を算出してＴｘＥＱＬ１５０及びＲｘＥＱＬ１５１に出力する。
【００４９】
設定値としては、各データ信号Ｘｉ，Ｘｑ，Ｙｉ，Ｙｑの振幅、位相、及びスキューの調整量などが挙げられるが、これに限定されない。ＴｘＥＱＬ１５０及びＲｘＥＱＬ１５１は、データ信号Ｘｉ，Ｘｑ，Ｙｉ，Ｙｑの劣化を設定値に基づき補償する。なお、データ信号Ｘｉ，Ｘｑ，Ｙｉ，Ｙｑの劣化としては、スキューや波形歪みが挙げられるが、これに限定されない。
【００５０】
図３はＴｘＥＱＬ１５０及びＲｘＥＱＬ１５１の一例を示す構成図である。ＴｘＥＱＬ１５０は、サンプルシフタ１５３、ＦＩＲ（Finite Impulse Response）フィルタ１５４、及び振幅調整部１５５を含む。
【００５１】
サンプルシフタ１５３は、データ信号Ｘｉ，Ｘｑ，Ｙｉ，Ｙｑをレーンごとに位相シフトする。サンプルシフタ１５３は、位相シフトしたデータ信号Ｘｉ，Ｘｑ，Ｙｉ，ＹｑをＦＩＲフィルタに出力する。
【００５２】
ＦＩＲフィルタ１５４は、複数のタップ（例えば９個）を有し、例えばデータ信号Ｘｉ，Ｘｑ，Ｙｉ，Ｙｑのスキューをレーンごとに補償する。ＦＩＲフィルタ１５４には、設定値に基づきＦＩＲフィルタ係数が算出されて設定される。データ信号Ｘｉ，Ｘｑ，Ｙｉ，ＹｑはＦＩＲフィルタ１５４から振幅調整部１５５に入力される。
【００５３】
振幅調整部１５５は、データ信号Ｘｉ，Ｘｑ，Ｙｉ，Ｙｑの振幅値を調整する。振幅調整部１５５は、振幅が調整されたデータ信号Ｘｉ，Ｘｑ，Ｙｉ，ＹｑをＤＡＣ１６０に出力する。
【００５４】
このように、ＴｘＥＱＬ１５０は、ＤＡＣ１６０に入力されるデータ信号Ｘｉ，Ｘｑ，Ｙｉ，Ｙｑの劣化を補償する。このため、ＴｘＥＱＬ１５０は、データ信号Ｘｉ，Ｘｑ，Ｙｉ，Ｙｑの劣化をデジタル処理により補償することができる。
【００５５】
また、ＲｘＥＱＬ１５１は、ＦＦＴ（Fast Fourier Transform）１５６と、線形補償フィルタ１５７と、ＩＦＦＴ（Inverse Fast Fourier Transform）１５８とを有する。ＩＦＦＴ１５８は、ＡＤＣ１６１から入力されたデータ信号Ｘｉ，Ｘｑ，Ｙｉ，Ｙｑを周波数領域の信号から時間領域の信号に変換する。
【００５６】
線形補償フィルタ１５７は、例えばデータ信号Ｘｉ，Ｘｑ，Ｙｉ，Ｙｑのスキューをレーンごとに補償する。線形補償フィルタ１５７には、設定値に基づき線形補償フィルタ係数が算出されて設定される。データ信号Ｘｉ，Ｘｑ，Ｙｉ，Ｙｑは線形補償フィルタ１５７からＦＦＴ１５６に入力される。ＦＦＴ１５６は、線形補償フィルタ１５７から入力されたデータ信号Ｘｉ，Ｘｑ，Ｙｉ，Ｙｑを時間領域の信号から周波数領域の信号に変換する。
【００５７】
このように、ＲｘＥＱＬ１５０は、ＡＤＣ１６１から出力されたデータ信号Ｘｉ，Ｘｑ，Ｙｉ，Ｙｑの劣化を補償する。このため、ＲｘＥＱＬ１５１は、データ信号Ｘｉ，Ｘｑ，Ｙｉ，Ｙｑの劣化をデジタル処理により補償することができる。
【００５８】
上記のように、ＴｘＥＱＬ１５０及びＲｘＥＱＬ１５１は、それぞれ、設定処理部１０１から設定された設定値に従って、データ信号Ｘｉ，Ｘｑ，Ｙｉ，Ｙｑの劣化を補償する。設定処理部１０１は、上述したように、ホストモジュール１の特性データ１３０と光送受信モジュール２の特性データ２２０に基づき設定値を設定する。
【００５９】
このため、ＴｘＥＱＬ１５０及びＲｘＥＱＬ１５１は、それぞれ、ホストモジュール１と光送受信モジュール２の組み合わせに応じて、ＦＩＲフィルタ１５４のＦＩＲフィルタ係数と線形補償フィルタ１５７の線形補償フィルタ係数とを最適化することができる。
【００６０】
図４は、ホストモジュール１と光送受信モジュール２の組み合わせの例を示す図である。一例として、ホストモジュール１にはホストモジュール（＃１）１及びホストモジュール（＃２）１が存在すると仮定し、光送受信モジュール２には光送受信モジュール（＃１）２及び光送受信モジュール（＃２）２の２種類が存在すると仮定する。
【００６１】
ホストモジュール１及び光送受信モジュール２の種類（＃１，＃２）は、例えば装置種別、または製造時のばらつきに起因する個体の特性の種別を示す。種類が相違するホストモジュール１または光送受信モジュール２の間では、例えばデータ信号Ｘｉ，Ｘｑ，Ｙｉ，Ｙｑのスキューが、電気コネクタ３０，３１を通る各々の配線長に応じて変化する。
【００６２】
しかし、ホストモジュール（＃１）１及びホストモジュール（＃２）１は個別の特性データ１３０を保持し、光送受信モジュール（＃１）２及び光送受信モジュール（＃２）２は個別の特性データ２２０を保持している。このため、ホストモジュール（＃１）１及びホストモジュール（＃２）１は、接続先の光送受信モジュール２の種類に応じた各特性データ１３０，２２０の組み合わせに基づき、ＦＩＲフィルタ１５４のＦＩＲフィルタ係数と線形補償フィルタ１５７の線形補償フィルタ係数とを最適化することができる。
【００６３】
したがって、ホストモジュール１は、接続先の光送受信モジュール２によらず良好な伝送特性でデータ信号Ｘｉ，Ｘｑ，Ｙｉ，Ｙｑを伝送することができる。
【００６４】
また、設定処理部１０１は、接続検出部１００からの通知に基づき、電気コネクタ３０に対する光送受信モジュール２の接続に応じ設定値を設定する。このため、ホストモジュール１と光送受信モジュール２の接続を契機として、ＦＩＲフィルタ１５４のＦＩＲフィルタ係数と線形補償フィルタ１５７の線形補償フィルタ係数とが自動的に最適化されるので利便性が良い。
【００６５】
また、光送受信モジュール２では、通信ＩＦ２１が、ホストモジュール１から電気コネクタ３０，３１を介して光送受信モジュール２に電力供給が開始された後、特性データ２２０をホストモジュール１に出力する。このため、上記の内容と同様の効果が得られる。
【００６６】
次にホストモジュール１による信号処理方法を説明する。
【００６７】
図５は、信号処理方法の一例を示すフローチャートである。信号処理方法は、ＣＰＵ１０により実行されるが、ＣＰＵ１０に代えてＦＰＧＡなどの論理回路により実行されてもよい。
【００６８】
接続検出部１００は、通信ＩＦ２１からの起動通知信号の有無に基づき、光送受信モジュール２が電気コネクタ３０に接続されたか否かを判定する（ステップＳｔ１）。起動通知信号は、上述したように、ホストモジュール１の電源１９から光送受信モジュール２に電力が供給されると、通信ＩＦ２１から電気コネクタ３０，３１を介しＣＰＵ１０に出力される。
【００６９】
接続検出部１００は、光送受信モジュール２が接続されていない場合（ステップＳｔ１のＮｏ）、再びステップＳｔ１の処理を実行する。
【００７０】
また、接続検出部１００は、光送受信モジュール２が接続された場合（ステップＳｔ１のＹｅｓ）、設定処理部１０１に接続を通知する（ステップＳｔ２）。設定処理部１０１は、電気コネクタ３０，３１を介し光送受信モジュール２のメモリ２２から特性データ２２０を読み出す（ステップＳｔ３）。すなわち、設定処理部１０１は、光送受信モジュール２から特性データ２２０を取得する。
【００７１】
このとき、特性データ２２０は、データ信号Ｘｉ，Ｘｑ，Ｙｉ，Ｙｑと共通の電気コネクタ３０，３１を介して読み出されるため、特性データ２２０の読み出しのために別の電気コネクタを用意する必要がない。
【００７２】
次に、設定処理部１０１は、ホストモジュール１のメモリ１３から特性データ１３０を読み出す（ステップＳｔ４）。すなわち、設定処理部１０１は、ホストモジュール１から特性データ２２０を取得する。
【００７３】
次に、設定処理部１０１は、各特性データ１３０，２２０に基づき補償部１５に設定値を設定する（ステップＳｔ５）。これにより、設定処理部１０１は、ホストモジュール１及び光送受信モジュール２の組み合わせに応じて、ＦＩＲフィルタ１５４のＦＩＲフィルタ係数と線形補償フィルタ１５７の線形補償フィルタ係数とを最適化することができる。このようにして、信号処理方法は実行される。
【００７４】
この信号処理方法によると、ホストモジュール１は、上述したように、接続先の光送受信モジュール２によらず良好な伝送特性でデータ信号Ｘｉ，Ｘｑ，Ｙｉ，Ｙｑを伝送することができる。また、設定処理部１０１は、接続検出部１００からの通知に基づき、電気コネクタ３０に対する光送受信モジュール２の接続に応じ自動的に設定値を設定することができる。
【００７５】
上述した実施形態は本発明の好適な実施の例である。但し、これに限定されるものではなく、本発明の要旨を逸脱しない範囲内において種々変形実施可能である。
【００７６】
なお、以上の説明に関して更に以下の付記を開示する。
（付記１）  信号を送受信する送受信器が接続可能な電気コネクタと、
前記電気コネクタを介し前記送受信器との間で入出力される前記信号の劣化を設定値に従い補償する補償部と、
前記電気コネクタにおける前記信号の伝送特性を示す第１特性データを記憶する記憶部と、
前記送受信器内の前記信号の伝送特性を示す第２特性データを前記送受信器から取得し、前記第１特性データ及び前記第２特性データに基づき、前記補償部に対して前記設定値を設定する設定処理部とを有することを特徴とする信号処理装置。
（付記２）  前記設定処理部は、前記送受信器から前記電気コネクタを介し前記第２特性データを取得することを特徴とする付記１に記載の信号処理装置。
（付記３）  前記設定処理部は、前記電気コネクタに対する前記送受信器の接続に応じ前記設定値を設定することを特徴とする付記１または２に記載の信号処理装置。
（付記４）  前記電気コネクタに入力される前記信号を、デジタル信号からアナログ信号に変換する第１変換回路を有し、
前記補償部は、前記第１変換回路に入力される前記信号の劣化を補償することを特徴とする付記１乃至３の何れかに記載の信号処理装置。
（付記５）  前記電気コネクタから出力された前記信号を、アナログ信号からデジタル信号に変換する第２変換回路を有し、
前記補償部は、前記第２変換回路から出力された前記信号の劣化を補償することを特徴とする付記１乃至４の何れかに記載の信号処理装置。
（付記６）  信号処理装置に接続可能な送受信器において、
前記信号処理装置に前記送受信器を接続するための電気コネクタと、
前記電気コネクタを介し前記信号処理装置との間で信号が入出力され、前記信号を伝送路との間で送受信する送受信部と、
前記電気コネクタにおける前記信号の伝送特性を示す特性データを記憶する記憶部と、
前記特性データを前記信号処理装置に出力する出力部とを有することを特徴とする送受信器。
（付記７）  前記出力部は、前記電気コネクタを介し前記特性データを出力することを特徴とする付記６に記載の送受信器。
（付記８）  信号を送受信する送受信器が接続可能な信号処理装置の第１電気コネクタに対する前記送受信器の第２電気コネクタの接続を検出し、
前記第１電気コネクタにおける前記信号の伝送特性を示す第１特性データを前記信号処理装置から取得し、
前記第２電気コネクタにおける前記信号の伝送特性を示す第２特性データを前記送受信器から取得し、
前記第１電気コネクタ及び前記第２電気コネクタを介し前記信号処理装置と前記送受信器の間で入出力される前記信号の劣化の補償に関する設定値を、前記第１特性データ及び前記第２特性データに基づき設定することを特徴とする信号処理方法。
（付記９）  前記送受信器から前記第１電気コネクタ及び前記第２電気コネクタを介し前記第２特性データを取得することを特徴とする付記８に記載の信号処理方法。
（付記１０）  前記第１電気コネクタに入力される前記信号を、第１変換回路によりデジタル信号からアナログ信号に変換し、
前記第１変換回路に入力される前記信号の劣化を補償することを特徴とする付記８または９に記載の信号処理方法。
（付記１１）  前記第１電気コネクタから出力された前記信号を、第２変換回路によりアナログ信号からデジタル信号に変換し、
前記第２変換回路から出力された前記信号の劣化を補償することを特徴とする付記８乃至１０の何れかに記載の信号処理方法。
（付記１２）  信号を送受信する送受信器が接続可能な電気コネクタと、
前記電気コネクタを介し前記送受信器との間で入出力される前記信号の劣化を設定値に従い補償する補償回路と、
前記電気コネクタにおける前記信号の伝送特性を示す第１特性データを記憶するメモリと、
前記送受信器内の前記信号の伝送特性を示す第２特性データを前記送受信器から取得し、前記第１特性データ及び前記第２特性データに基づき、前記補償回路に対して前記設定値を設定する設定処理回路とを有することを特徴とする信号処理装置。
（付記１３）  前記設定処理回路は、前記送受信器から前記電気コネクタを介し前記第２特性データを取得することを特徴とする付記１２に記載の信号処理装置。
（付記１４）  前記設定処理回路は、前記電気コネクタに対する前記送受信器の接続に応じ前記設定値を設定することを特徴とする付記１２または１３に記載の信号処理装置。
（付記１５）  前記電気コネクタに入力される前記信号を、デジタル信号からアナログ信号に変換する第１変換回路を有し、
前記補償回路は、前記第１変換回路に入力される前記信号の劣化を補償することを特徴とする付記１２乃至１４の何れかに記載の信号処理装置。
（付記１６）  前記電気コネクタから出力された前記信号を、アナログ信号からデジタル信号に変換する第２変換回路を有し、
前記補償回路は、前記第２変換回路から出力された前記信号の劣化を補償することを特徴とする付記１２乃至１５の何れかに記載の信号処理装置。
（付記１７）  信号処理装置に接続可能な送受信器において、
前記信号処理装置に前記送受信器を接続するための電気コネクタと、
前記電気コネクタを介し前記信号処理装置との間で信号が入出力され、前記信号を伝送路との間で送受信する送受信回路と、
前記電気コネクタにおける前記信号の伝送特性を示す特性データを記憶するメモリと、
前記特性データを前記信号処理装置に出力する出力回路とを有することを特徴とする送受信器。
（付記１８）  前記出力回路は、前記電気コネクタを介し前記特性データを出力することを特徴とする付記１７に記載の送受信器。
【符号の説明】
【００７７】
１       ホストモジュール
２       光送受信モジュール
１０       ＣＰＵ
１３，２２      メモリ
１５       補償部
２０       送受信部
２１       通信インターフェース部
３０，３１      電気コネクタ
９０，９１      伝送路
１０１      設定処理部
１３０，２２０     特性データ
１６０      ＤＡＣ
１６１      ＡＤＣ
【図１】
2019009648.tif 000003
【図２】
2019009648.tif 000004
【図３】
2019009648.tif 000005
【図４】
2019009648.tif 000006
【図５】
2019009648.tif 000007